(57)【要約】      （修正有）【課題】操作つまみが天板上のコンロバーナの前方や側方などに配設されたガスコンロにおいて、調理中や調理終了の直後などに使用者が操作つまみに触れたときにも、使用者が不快に感じるほどに熱く感じたり、火傷をしたりすることのない、安全で使い勝手の良好なガスコンロを提供する。【解決手段】操作つまみ２５が、（ａ）操作つまみを操作する際に使用者が手指にて挟持する挟持部を備えているとともに、（ｂ）点火状態における挟持部とコンロバーナ１０の間に位置し、コンロバーナの燃焼により生じる熱の挟持部への伝達を抑制する防熱壁５０を備えた構成とする。防熱壁を、挟持部と別体に形成する。挟持部を合成樹脂により構成し、防熱壁をシリコーンゴムにより構成する。【選択図】図２
2019095155.tif 000002
【特許請求の範囲】
【請求項１】
コンロバーナを備え、上面が天板により覆われたコンロ本体と
前記天板上に配設された操作つまみを備え、前記操作つまみを下方に押し込みながら所定方向に回す点火用回動動作をすることにより、前記コンロバーナを消火状態から点火状態に切り換え、前記所定方向の逆方向に回す消火用回動動作をすることにより、前記コンロバーナを点火状態から消火状態に切り換える回動式の点消火操作部と、を有する上面操作式のガスコンロであって、
前記操作つまみは、（ａ）前記操作つまみを操作する際に使用者が手指にて挟持する挟持部を備えているとともに、（ｂ）前記点火状態における前記挟持部と前記コンロバーナの間に位置し、前記コンロバーナの燃焼により生じる熱の前記挟持部への伝達を抑制する防熱壁を備えていることを
特徴とするガスコンロ。
【請求項２】
前記防熱壁が、前記挟持部と別体に形成されていることを特徴とする請求項１記載のガスコンロ。
【請求項３】
前記挟持部が合成樹脂により構成され、前記防熱壁がシリコーンゴムにより構成されていることを特徴とする請求項２記載のガスコンロ。
【発明の詳細な説明】
【技術分野】
【０００１】
本発明は、ガスコンロに関し、詳しくは、コンロバーナの点消火を行う押し回し式の点消火装置を備えたガスコンロに関する。
【背景技術】
【０００２】
ガスコンロの中には、押し回し式の点消火装置によってコンロバーナの点消火を行うように構成されたガスコンロがある。
【０００３】
そのようなガスコンロの１つとして、特許文献１には、コンロバーナの点消火を行う押し回し式の点消火装置を備え、その操作つまみが、天板上のコンロバーナの側方に配設されたガスコンロが記載されている。
【先行技術文献】
【特許文献】
【０００４】
【特許文献１】特開２００８−８９１４５号公報
【発明の概要】
【発明が解決しようとする課題】
【０００５】
ところで、特許文献１のガスコンロのように、コンロバーナの点消火を行う押し回し式の点消火装置の操作つまみが天板上のコンロバーナの前方や側方に配設されている場合、五徳上に載置された調理容器の下面を這うように拡がったコンロバーナの火炎が、操作つまみの存在方向に向かって伸びることが考えられ、その場合、操作つまみが加熱される。
【０００６】
そして、特許文献１には、コンロバーナの火炎によって操作つまみが加熱されたときの状態については特に記載されていないが、加熱された操作つまみに使用者の手指が触れたときのことを考慮すれば、加熱された操作つまみに使用者の手指が触れたときにも使用者が熱く感じたり、火傷をしたりすることを抑制、防止することができるような配慮がなされている必要がある。
【０００７】
本発明は、上記課題を解決するものであり、操作つまみが天板上のコンロバーナの前方や側方などに配設されたガスコンロにおいて、調理中や調理終了の直後などに使用者が操作つまみに触れたときにも、使用者が不快なほどに熱く感じたり、火傷をしたりすることのない、安全で使い勝手の良好なガスコンロを提供することを目的とする。
【課題を解決するための手段】
【０００８】
上記の目的を達成するために、本発明のガスコンロは、
コンロバーナを備え、上面が天板により覆われたコンロ本体と
前記天板上に配設された操作つまみを備え、前記操作つまみを下方に押し込みながら所定方向に回す点火用回動動作をすることにより、前記コンロバーナを消火状態から点火状態に切り換え、前記所定方向の逆方向に回す消火用回動動作をすることにより、前記コンロバーナを点火状態から消火状態に切り換える回動式の点消火操作部と、を有する上面操作式のガスコンロであって、
前記操作つまみは、（ａ）前記操作つまみを操作する際に使用者が手指にて挟持する挟持部を備えているとともに、（ｂ）前記点火状態における前記挟持部と前記コンロバーナの間に位置し、前記コンロバーナの燃焼により生じる熱の前記挟持部への伝達を抑制する防熱壁を備えていることを
特徴としている。
【０００９】
本発明のガスコンロにおいては、前記防熱壁が、前記挟持部と別体に形成されていることが好ましい。
【００１０】
また、前記挟持部が合成樹脂により構成され、前記防熱壁がシリコーンゴムにより構成されていることが好ましい。
【発明の効果】
【００１１】
本発明のガスコンロは、上述のように構成されており、操作つまみが、操作つまみを操作する際に使用者が手指にて挟持する挟持部を備えているとともに、点火状態における挟持部とコンロバーナの間に位置し、コンロバーナの燃焼により生じる熱の挟持部への伝達を抑制する防熱壁を備えているので、点火状態においてコンロバーナに形成される火炎からの熱の、操作つまみの挟持部への輻射が抑制される。すなわち、操作つまみが天板上の、コンロバーナの前方や側方、あるいは斜め側方などに配設されているような場合に、操作つまみがコンロバーナに形成される火炎によって加熱されることを抑制、防止することができる。
【００１２】
その結果、使用者が、操作つまみの挟持部に触れたときにも、使用者が不快なほど熱く感じたり、火傷をしたりすることのない、安全で使い勝手の良好なガスコンロを提供することが可能になる。
【００１３】
また、本発明のガスコンロにおいて、防熱壁が、挟持部と別体に形成されている場合、例えば、挟持部と別体に形成される防熱壁を高価な高耐熱部材で構成したときにも、挟持部を同じ高価な高耐熱部材で構成する必要がないので、製造コストの上昇を抑制することができる。
【００１４】
また、挟持部を合成樹脂により構成し、防熱壁をシリコーンゴムにより構成するようにした場合、挟持部が合成樹脂により構成されるので、操作つまみの挟持部として必要される機械的強度を確保することができるとともに、防熱壁がシリコーンゴムにより構成されるので、十分な耐熱性を確保することができる。
【００１５】
また、防熱壁がシリコーンゴムにより構成されている場合、使用者が手指を防熱壁にぶつけた場合にも、強い衝撃を受けることが抑制され、使用感を向上させることが可能になる。
【図面の簡単な説明】
【００１６】
【図１】本発明の実施形態にかかるガスコンロを示す図であって、点消火操作用の操作つまみが消火位置にある状態、すなわち消火状態を示す斜視図である。
【図２】本発明の実施形態にかかるガスコンロを示す図であって、点消火操作用の操作つまみが点火位置にある状態、すなわち点火状態を示す斜視図である。
【図３】本発明の実施形態にかかるガスコンロの操作つまみを示す図であって、（ａ）は平面図、（ｂ）は斜視図である。
【図４】本発明の実施形態にかかるガスコンロの、防熱壁の記載を省略した操作つまみ周辺の断面図である。
【発明を実施するための形態】
【００１７】
以下、本発明の実施形態を示して、その特徴とするところをさらに詳しく説明する。
【００１８】
［実施形態］
図１は、本発明の一実施形態にかかるガスコンロＡの外観構成を示す斜視図である。
このガスコンロＡは、図１、図２に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００１９】
また、このガスコンロＡは、コンロ本体２０と、コンロ本体２０の上面の開口を覆う天板１２とを備えている。
【００２０】
ガスコンロＡが備える３つのコンロバーナ１０はいずれもブンゼン式のガスバーナであり、２つのコンロバーナ１０ａ、１０ｂは、天板１２の前方側の左右に、天板１２から上方にバーナヘッドが露出するような態様で配設され、残りの１つのコンロバーナ１０ｃは、天板１２の後方に配設されている。なお、各コンロバーナ１０（１０ａ、１０ｂ、１０ｃ）は、それぞれ天板１２から上方にバーナヘッドが露出するような態様で配設されている。
【００２１】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２２】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２３】
また、天板１２上の手前側の領域には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００２４】
点消火操作部１５（１５ａ、１５ｂ、１５ｃ）はいずれも、下方に押し込みながら所定方向に回す、押し回し操作をすることにより、コンロバーナ１０の点消火や炎調節などを行う押し回し式の点消火操作部である。
【００２５】
なお、点消火操作部１５ａはコンロバーナ１０ａ用の操作部、点消火操作部１５ｂはコンロバーナ１０ｂ用の操作部、点消火操作部１５ｃはコンロバーナ１０ｃ用の操作部である。
【００２６】
このガスコンロＡにおいては、天板１２の奥側に、上述の３つのコンロバーナ１０（１０ａ、１０ｂ、１０ｃ）に一次空気を供給するための吸気口（図示せず）が形成されており、この吸気口の上方は、吸気口カバー体１６によって覆われている。
【００２７】
なお、このガスコンロＡは、魚などを調理するためのグリルを備えていないが、本発明は、グリルを備えているガスコンロにも適用することが可能である。
【００２８】
上述のように、この実施形態１にかかるガスコンロＡは、コンロバーナ１０（１０ａ、１０ｂ、１０ｃ）の点消火を行う点消火操作部１５（１５ａ、１５ｂ、１５ｃ）を備えている（図１、図２）。
【００２９】
また、天板１２上には、各点消火操作部１５（１５ａ、１５ｂ、１５ｃ）の一部を構成する操作つまみ２５（２５ａ、２５ｂ、２５ｃ）が配設されている。
【００３０】
また、天板１２には、図４に示すように、操作つまみ２５を支持する操作軸２１が挿通されるとともに、コンロバーナ１０（図１、図２）の燃焼用空気の通路となる貫通孔１２ａが形成されている。なお、図４においては、後述する防熱壁５０（図１〜図３）の記載を省略している。
【００３１】
また、操作つまみ２５を支持する操作軸２１は、ガスバルブケース３０（図４）と連結されており、操作つまみ２５（２５ａ、２５ｂ、２５ｃ）を押し回し操作することで、ガスバルブケース３０の内部に配設されたガスバルブ（図示せず）が開弁して、操作つまみ２５（２５ａ、２５ｂ、２５ｃ）に対応するコンロバーナ１０（１０ａ、１０ｂ、１０ｃ）に燃料ガスが供給されるように構成されている。
【００３２】
なお、このような、押し回し操作式のガスバルブの構成は、周知であることから、本明細書では詳細な説明を省略する。
【００３３】
＜ガスコンロの特徴的構成＞
次に、本実施形態１にかかるガスコンロＡの特徴的な構成について説明する。
【００３４】
本実施形態にかかるガスコンロＡは、操作つまみ２５を下方に押し込みながら所定方向（本実施形態では、反時計回り）に回す点火用回動操作をすることにより、コンロバーナ１０が消火状態から点火状態に切り換えられ、所定方向の逆方向（本実施形態では、時計回り）に回す消火用回動操作をすることにより、コンロバーナ１０が点火状態から消火状態に切り換えられるように構成されている（図１、図２参照）。
【００３５】
そして、操作つまみ２５には、使用者が操作つまみ２５を操作する際に、使用者の手指にて挟持される挟持部３６（図３（ａ）（ｂ）、図４）を備えている。
【００３６】
また、本実施形態にかかるガスコンロＡにおいて、操作つまみ２５（２５ａ、２５ｂ、２５ｃ）は、それぞれ、平面視で、点火状態における挟持部３６とコンロバーナ１０の間に位置し、コンロバーナ１０の燃焼により生じる熱の挟持部３６への伝達を抑制する防熱壁５０（５０ａ、５０ｂ、５０ｃ）を備えている。
【００３７】
すなわち、本実施形態にかかるガスコンロＡでは、通常使用者が位置する側を前方側、その逆側を後方側とした場合に、操作つまみ２５は、点火状態における挟持部３６の後方側（コンロバーナ１０の存在側、つまり、挟持部３６とコンロバーナ１０の間）に位置する防熱壁５０を備えている（図２参照）。
【００３８】
さらに説明すると、本実施形態にかかるガスコンロＡでは、図１に示す消火状態においては、防熱壁５０が挟持部３６の後方側（つまりコンロバーナ１０の存在側）には位置しないが、図２に示す点火状態においては、防熱壁５０が挟持部３６の後方側（つまりコンロバーナ１０の存在側）に位置するように構成されている。
【００３９】
なお、本実施形態にかかるガスコンロＡにおいて、防熱壁５０は、操作つまみ２５と一体に形成されている。具体的には、防熱壁５０は、樹脂の射出成型により操作つまみ２５と一体不可分に構成されている。
【００４０】
本実施形態にかかるガスコンロＡはこのように構成されており、操作つまみ２５が、点火状態における挟持部３６の後方側（コンロバーナ１０の存在側）、すなわち、平面視で、点火状態における挟持部３６とコンロバーナ１０の間に位置する防熱壁５０を備えているので、点火状態においてコンロバーナ１０に形成される火炎から挟持部３６への、輻射による熱の伝達が抑制されることになる。
【００４１】
したがって、操作つまみ２５が、天板１２上のコンロバーナ１０の前方領域に配設されている場合において、調理中や調理の終了直後などに使用者が操作つまみ２５に触れたときにも、使用者が不快なほどに熱く感じたり、火傷をしたりすることのない、安全で使い勝手の良好なガスコンロを提供することが可能になる。
【００４２】
なお、本実施形態のガスコンロＡでは、操作つまみ２５が、点火状態における挟持部３６の後方側（つまりコンロバーナ１０の存在側）に、防熱壁５０を備えるように構成しているが、これと異なり、もし、天板１２上に操作つまみ２５とは別に防熱壁を設けるようにした場合には、天板１２の清掃時に防熱壁が邪魔になるという問題点がある。
【００４３】
つまり、本実施形態のガスコンロＡでは、防熱壁５０が操作つまみ２５とともに回動するように構成されており、天板１２の清掃時には、操作つまみ２５を消火位置に回動させた状態で清掃が行われる、言い換えると、防熱壁５０が邪魔になりにくい位置（コンロバーナ１０の存在しない前方側の位置）に移動した状態で清掃が行われるため、天板１２の清掃が容易になる。
【００４４】
また、防熱壁５０を備えた操作つまみ２５を操作軸２１（図４参照）から着脱可能に構成しておくことで、天板１２の清掃をより容易にすることができる。なお、上述のように、図４においては、防熱壁の記載を省略している。
【００４５】
［別実施形態］
上記実施形態では、防熱壁５０を、操作つまみ２５と一体に形成するようにしているが、防熱壁５０を挟持部３６と別体に構成して、使用時には、両者を一体に結合（合体）させて用い、また、必要がある場合には、防熱壁５０を挟持部３６と分離することができるように構成してもよい。
【００４６】
なお、防熱壁５０を挟持部３６と別体に形成する場合、防熱壁５０と挟持部３６とを連結させる（つまり両者を合体させて一体として用いる）にあたっては、周知の種々の方法を適用することができる。例えば、ボルト・ナットなどの締結部材を用いて両者を一体に連結したり、両者に係合構造部を設けて合体させたりする方法などが例示されるが、これらに限られるものではない。
【００４７】
また、防熱壁５０を、挟持部３６と別体に形成するようにした場合、例えば、防熱壁５０を高耐熱材料で構成し、挟持部３６を汎用の材料で構成することができる。このように適材適所とすることにより、製造コストの上昇を抑制することができる。
【００４８】
なお、防熱壁５０を挟持部３６と別体に形成する場合、具体的には、例えば、挟持部３６をＡＢＳ／ＰＢＴなどの合成樹脂により構成し、防熱壁５０をシリコーンゴムにより構成することができる。
【００４９】
上述の構成の場合、挟持部３６が、安価で、必要な特性（強度など）をそなえた合成樹脂により構成され、かつ、防熱壁５０が、十分な耐熱性を備えシリコーンゴムにより構成されるため、全体として、経済的に、信頼性の高い操作つまみ２５を構成することができる。
【００５０】
また、防熱壁５０が、シリコーンゴムで構成されている場合、防熱壁５０が適度な柔軟性、弾性変形性を備えるので、使用者の手指が防熱壁５０に当たったとき（ぶつかったとき）にも、強い衝撃を受けることが抑制され、使用者が不快に感じることを抑制することができる。
【００５１】
また、本発明のガスコンロにおいては、挟持部３６の表面を、凹凸を備えた凹凸面としたり、突起を備えた突起配設面としたりすることによって、挟持部３６を挟持した使用者が熱さを感じることをさらに抑制するように構成することも可能である。
【００５２】
なお、本発明は、上記実施形態に限定されるものではなく、本発明の範囲内において種々の変形を加えることが可能である。
【符号の説明】
【００５３】
Ａ      ガスコンロ
１０（１０ａ、１０ｂ、１０ｃ）    コンロバーナ
１２    天板
１２ａ  天板に形成された貫通孔
１３    五徳
１４    温度センサ
１５（１５ａ、１５ｂ、１５ｃ）    点消火操作部
１６    吸気口カバー体
２０    コンロ本体
２１    操作軸
２５（２５ａ、２５ｂ、２５ｃ）    操作つまみ
３０    ガスバルブケース
３５    操作つまみ本体
３６    挟持部
５０（５０ａ、５０ｂ、５０ｃ）  防熱壁
【図１】
2019095155.tif 000003
【図２】
2019095155.tif 000004
【図３】
2019095155.tif 000005
【図４】
2019095155.tif 000006